(57)【要約】【課題】番組の内容に応じて適切なタイミングで自動的にチャプタを設定することができる録画装置、テレビジョン受信機及び録画方法を提供する。【解決手段】ＣＰＵ１０は、録画する番組の番組情報に含まれる字幕データから単語を含む文字データを抽出する。ＣＰＵ１０は、抽出した文字データの一部又は全部がチャプタ名候補用語ＤＢに記憶した関連用語に一致するか否かを判定する。ＣＰＵ１０は、番組を録画する場合に、関連用語に一致すると判定した文字データが表示される場面でチャプタを設定する。【選択図】図１
2014030180.tif 000002
【特許請求の範囲】
【請求項１】
映像データ、音声データ、字幕データ及び番組情報を含む番組信号を取得する取得部と、該取得部で取得した番組信号に基づいて番組を録画する録画部とを備える録画装置において、
番組内容に関連する複数の関連用語を記憶する記憶部と、
前記取得部で取得した字幕データから単語を含む文字データを抽出する抽出部と、
該抽出部で抽出した文字データの一部又は全部が前記記憶部に記憶した関連用語に一致するか否かを判定する判定部と、
前記録画部で番組を録画する場合に、前記判定部で一致すると判定した文字データが表示される前記番組の場面でチャプタの区切りを設定する設定部と
を備えることを特徴とする録画装置。
【請求項２】
前記設定部は、
前記判定部で一致すると判定した文字データをチャプタ名として前記チャプタに設定するようにしてあることを特徴とする請求項１に記載の録画装置。
【請求項３】
前記設定部は、
前記判定部で文字データの一部が前記関連用語に一致すると判定した場合、該文字データの一部と他の部分とを異なる表示態様にして前記文字データを前記チャプタに設定するようにしてあることを特徴とする請求項２に記載の録画装置。
【請求項４】
前記設定部は、
前記チャプタを設定した場面の時間情報を該チャプタに設定するようにしてあることを特徴とする請求項１から請求項３までのいずれか１項に記載の録画装置。
【請求項５】
前記チャプタを設定した場面の画像を生成する生成部を備え、
前記設定部は、
前記生成部が生成した画像を前記チャプタに設定するようにしてあることを特徴とする請求項１から請求項４までのいずれか１項に記載の録画装置。
【請求項６】
前記設定部は、
前記判定部で一致すると判定した文字データが、直近に一致すると判定した直近文字データと異なる場合、前記文字データをチャプタ名として前記チャプタに設定するようにしてあることを特徴とする請求項１から請求項５までのいずれか１項に記載の録画装置。
【請求項７】
前記取得部で取得した番組情報から番組のジャンル、番組名、出演者及び番組内容に関する情報の少なくとも１つを含むチャプタ名候補用語を決定する決定部を備え、
前記記憶部は、
前記決定部が決定したチャプタ名候補用語を前記関連用語として記憶するようにしてあることを特徴とする請求項１から請求項６までのいずれか１項に記載の録画装置。
【請求項８】
番組情報と関連付けて番組の場面を連想させる連想用語を予め記憶する連想用語記憶部と、
前記取得部で取得した番組情報に関連する連想用語の有無を判定する連想用語判定部と
を備え、
前記記憶部は、
前記連想用語判定部が有と判定した連想用語を前記関連用語として記憶するようにしてあることを特徴とする請求項１から請求項７までのいずれか１項に記載の録画装置。
【請求項９】
前記取得部で取得した番組情報に基づいて、番組に関する評価を公開するネットワークサービスを特定する特定部と、
該特定部で特定したネットワークサービス内の前記番組に関する評価から頻出用語を抽出する用語抽出部と
を備え、
前記記憶部は、
前記用語抽出部で抽出した頻出用語を前記関連用語として記憶するようにしてあることを特徴とする請求項１から請求項８までのいずれか１項に記載の録画装置。
【請求項１０】
前記取得部で取得した番組情報に基づいて、前記録画部で録画する番組に関する評価を公開するネットワークサービスを特定する特定部と、
該特定部で特定したネットワークサービス内の前記番組に関する評価数が所定の閾値以上となる該番組中の時間帯を特定する時間帯特定部と
を備え、
前記設定部は、
前記時間帯特定部で特定した時間帯を用いてチャプタを設定するようにしてあることを特徴とする請求項１から請求項８までのいずれか１項に記載の録画装置。
【請求項１１】
前記時間帯特定部で特定した時間帯での評価から頻出用語を抽出する用語抽出部を備え、
前記設定部は、
前記用語抽出部で抽出した頻出用語を前記チャプタに設定するようにしてあることを特徴とする請求項１０に記載の録画装置。
【請求項１２】
前記設定部は、
前記特定部で特定したネットワークサービスに関するサービス情報を前記チャプタに設定するようにしてあることを特徴とする請求項１０又は請求項１１に記載の録画装置。
【請求項１３】
前記録画部で録画した番組とともに前記設定部で設定したチャプタを表示する表示部を備えることを特徴とする請求項１から請求項１２までのいずれか１項に記載の録画装置。
【請求項１４】
請求項１から請求項１２までのいずれか１項に記載の録画装置で録画した番組とともに設定したチャプタを表示するようにしてあることを特徴とするテレビジョン受信機。
【請求項１５】
映像データ、音声データ、字幕データ及び番組情報を含む番組信号を取得する取得部と、該取得部で取得した番組信号に基づいて番組を録画する録画部とを備える録画装置による録画方法において、
番組内容に関連する複数の関連用語を記憶するステップと、
前記取得部で取得した字幕データから単語を含む文字データを抽出するステップと、
抽出された文字データの一部又は全部が記憶部に記憶した関連用語に一致するか否かを判定するステップと、
前記録画部で番組を録画する場合に、一致すると判定された文字データが表示される前記番組の場面でチャプタの区切りを設定するステップと
を含むことを特徴とする録画方法。
【発明の詳細な説明】
【技術分野】
【０００１】
本発明は、字幕データ及び番組情報を含む番組信号を取得して、番組を録画する録画装置、該録画装置を備えるテレビジョン受信機及び録画方法に関する。
【背景技術】
【０００２】
近年、録画再生装置で録画した音声及び映像を含むコンテンツに対して、任意の場所（シーン、場面）にチャプタと称する区切りを設けて、コンテンツを複数のチャプタで分割することが行われている。チャプタとは、コンテンツを時間軸方向にあるまとまり毎に区切ったものである。チャプタを設けることで、コマーシャルをカットすること、途中のシーン（場面）を飛ばして所望のシーンに移ること、あるいは、チャプタで区切られたシーン毎にサムネイルを表示することができ、視聴者が見たいシーンへより速く、確実に到達できる。
【０００３】
例えば、送信装置が放送コンテンツにチャプタ分割位置を指定する情報を記述したデータを付随させ、受信装置で当該データを解析することにより、放送局側が意図した位置でコンテンツをチャプタ分割することができ、放送コンテンツの場面や内容に応じた違和感のない自然なチャプタを付与することができるデジタル放送システムが開示されている（特許文献１参照）。
【０００４】
また、使用者が一度視聴したコンテンツに含まれる所定の部分に対して使用者の評価を受け付け、評価を示す評価情報をコンテンツに関連付けて記録することにより、コンテンツに含まれる特定の部分を容易に検索して再生することができるコンテンツ再生装置が開示されている（特許文献２参照）。
【０００５】
また、放送番組に関する属性情報を含む電子番組案内情報を取得し、取得した属性情報に対応して解析アルゴリズムを選択的に切り替えて映像データの区切り点を生成することにより、番組の属性に応じてチャプタの分割処理を安定して行うことができる映像録画再生装置が開示されている（特許文献３参照）。
【０００６】
また、コンテンツに含まれる色信号強度、音量、字幕の文字などの複数種類の特徴量を抽出し、抽出した特徴量を合成して得られた合成特徴量に基づいてコンテンツをチャプタに分割するコンテンツ処理装置が開示されている（特許文献４参照）。
【先行技術文献】
【特許文献】
【０００７】
【特許文献１】特開２００６−１４８８３９号公報
【特許文献２】特開２００７−３２３７７９号公報
【特許文献３】特開２００６−３２４７７０号公報
【特許文献４】特開２００９−５５５２８号公報
【発明の概要】
【発明が解決しようとする課題】
【０００８】
しかしながら、特許文献１のシステムにあっては、放送局側で予めチャプタの場所が定められているので、ユーザは所望のシーン（場面）でチャプタを設けることができない。また、特許文献２の装置にあっては、ユーザの所望のシーンでチャプタを設けることができるものの、ユーザは１回コンテンツを視聴しなければならず、自動的にチャプタを設けることができない。また、特許文献３の装置にあっては、放送番組に関する属性情報（例えば、放送モード、放送局コード、ジャンルコード）に基づいてチャプタ分割を行うので、各種ジャンルの番組に対してチャプタ分割を切り替えることができたとしても、コンテンツの内容に応じた時点でチャプタを設けることができない。また、特許文献４の装置にあっては、色信号強度、音声及び字幕の有無を組み合わせた合成特徴量に基づいてチャプタを分割するので、例えば、土俵の色や歓声などを組み合わせた相撲の取り組みシーンを含むチャプタ分割はできるものの、それ以外のコンテンツについては、どのようにチャプタを分割するかの開示はなく、種々の番組特有のコンテンツに応じてチャプタを設定することが困難であった。
【０００９】
本発明は、斯かる事情に鑑みてなされたものであり、番組の内容に応じて適切なタイミングで自動的にチャプタを設定することができる録画装置、該録画装置を備えるテレビジョン受信機及び録画方法を提供することを目的とする。
【課題を解決するための手段】
【００１０】
本発明に係る録画装置は、映像データ、音声データ、字幕データ及び番組情報を含む番組信号を取得する取得部と、該取得部で取得した番組信号に基づいて番組を録画する録画部とを備える録画装置において、番組内容に関連する複数の関連用語を記憶する記憶部と、前記取得部で取得した字幕データから単語を含む文字データを抽出する抽出部と、該抽出部で抽出した文字データの一部又は全部が前記記憶部に記憶した関連用語に一致するか否かを判定する判定部と、前記録画部で番組を録画する場合に、前記判定部で一致すると判定した文字データが表示される前記番組の場面でチャプタの区切りを設定する設定部とを備えることを特徴とする。
【００１１】
本発明に係る録画装置は、前記設定部は、前記判定部で一致すると判定した文字データをチャプタ名として前記チャプタに設定するようにしてあることを特徴とする。
【００１２】
本発明に係る録画装置は、前記設定部は、前記判定部で文字データの一部が前記関連用語に一致すると判定した場合、該文字データの一部と他の部分とを異なる表示態様にして前記文字データを前記チャプタに設定するようにしてあることを特徴とする。
【００１３】
本発明に係る録画装置は、前記設定部は、前記チャプタを設定した場面の時間情報を該チャプタに設定するようにしてあることを特徴とする。
【００１４】
本発明に係る録画装置は、前記チャプタを設定した場面の画像を生成する生成部を備え、前記設定部は、前記生成部が生成した画像を前記チャプタに設定するようにしてあることを特徴とする。
【００１５】
本発明に係る録画装置は、前記設定部は、前記判定部で一致すると判定した文字データが、直近に一致すると判定した直近文字データと異なる場合、前記文字データをチャプタ名として前記チャプタに設定するようにしてあることを特徴とする。
【００１６】
本発明に係る録画装置は、前記取得部で取得した番組情報から番組のジャンル、番組名、出演者及び番組内容に関する情報の少なくとも１つを含むチャプタ名候補用語を決定する決定部を備え、前記記憶部は、前記決定部が決定したチャプタ名候補用語を前記関連用語として記憶するようにしてあることを特徴とする。
【００１７】
本発明に係る録画装置は、番組情報と関連付けて番組の場面を連想させる連想用語を予め記憶する連想用語記憶部と、前記取得部で取得した番組情報に関連する連想用語の有無を判定する連想用語判定部とを備え、前記記憶部は、前記連想用語判定部が有と判定した連想用語を前記関連用語として記憶するようにしてあることを特徴とする。
【００１８】
本発明に係る録画装置は、前記取得部で取得した番組情報に基づいて、番組に関する評価を公開するネットワークサービスを特定する特定部と、該特定部で特定したネットワークサービス内の前記番組に関する評価から頻出用語を抽出する用語抽出部とを備え、前記記憶部は、前記用語抽出部で抽出した頻出用語を前記関連用語として記憶するようにしてあることを特徴とする。
【００１９】
本発明に係る録画装置は、前記取得部で取得した番組情報に基づいて、前記録画部で録画する番組に関する評価を公開するネットワークサービスを特定する特定部と、該特定部で特定したネットワークサービス内の前記番組に関する評価数が所定の閾値以上となる該番組中の時間帯を特定する時間帯特定部とを備え、前記設定部は、前記時間帯特定部で特定した時間帯を用いてチャプタを設定するようにしてあることを特徴とする。
【００２０】
本発明に係る録画装置は、前記時間帯特定部で特定した時間帯での評価から頻出用語を抽出する用語抽出部を備え、前記設定部は、前記用語抽出部で抽出した頻出用語を前記チャプタに設定するようにしてあることを特徴とする。
【００２１】
本発明に係る録画装置は、前記設定部は、前記特定部で特定したネットワークサービスに関するサービス情報を前記チャプタに設定するようにしてあることを特徴とする。
【００２２】
本発明に係る録画装置は、前記録画部で録画した番組とともに前記設定部で設定したチャプタを表示する表示部を備えることを特徴とする。
【００２３】
本発明に係るテレビジョン受信機は、前述の発明のいずれか１つに係る録画装置で録画した番組とともに設定したチャプタを表示するようにしてあることを特徴とする。
【００２４】
本発明に係る録画方法は、映像データ、音声データ、字幕データ及び番組情報を含む番組信号を取得する取得部と、該取得部で取得した番組信号に基づいて番組を録画する録画部とを備える録画装置による録画方法において、番組内容に関連する複数の関連用語を記憶するステップと、前記取得部で取得した字幕データから単語を含む文字データを抽出するステップと、抽出された文字データの一部又は全部が記憶部に記憶した関連用語に一致するか否かを判定するステップと、前記録画部で番組を録画する場合に、一致すると判定された文字データが表示される前記番組の場面でチャプタの区切りを設定するステップとを含むことを特徴とする。
【００２５】
本発明にあっては、記憶部に番組内容に関連する複数の関連用語を記憶しておく。関連用語は、例えば、番組のジャンル、番組名（タイトル）、出演者、役名、曲名、スポーツの名称、ストーリー（あらすじ）、番組内容を表す文言などを含む。関連用語は、番組特有のコンテンツを表すとともに、場面の変化やストーリーの展開を推測することができるものである。抽出部は、字幕データから単語を含む文字データを抽出する。文字データは、文字列であり、例えば、単語、あるいは単語を修飾する修飾語と当該単語からなる文字列である。判定部は、抽出した文字データの一部又は全部が記憶部に記憶した関連用語に一致するか否かを判定する。設定部は、録画部で番組を録画する場合に、判定部で一致すると判定した文字データが表示される場面（シーン）でチャプタの区切りを設定する。チャプタは、番組の場面を適当な箇所で区切った場合、区切られた場面全体をいう。なお、番組の場面を区切る際の区切りということもできる。
【００２６】
番組のあらすじの展開、場面（シーン）の変化は、字幕にも同様に表れる。種々のジャンルの番組について、番組内容に関連する関連用語を予め記憶しておき、番組内容に関連する関連用語と字幕に現れる文字列が一致（部分一致も含む）するときにチャプタを設定するので、ユーザが手動操作することなく、番組特有のコンテンツ、場面の変化やストーリーの展開に応じてチャプタを設定することができ、番組の内容に応じて適切なタイミングで自動的にチャプタ（チャプタの区切り）を設定することができる。
【００２７】
本発明にあっては、設定部は、判定部で一致すると判定した文字データをチャプタ名としてチャプタに設定する。これにより、番組特有のコンテンツ、場面の変化やストーリーの展開に応じたチャプタタイトルを設定することができるので、ユーザは、それぞれのチャプタが番組内でどのような場面を表しているかを容易に確認することができる。
【００２８】
本発明にあっては、設定部は、判定部で文字データの一部が関連用語に一致すると判定した場合、当該文字データの一部と他の部分とを異なる表示態様にして文字データをチャプタに設定する。例えば、字幕から抽出した文字列が、「起死回生ホームラン」であり、関連用語が「ホームラン」である場合、一致する文言「ホームラン」と一致しない文言「起死回生」とが異なる色、異なる字体、異なる模様で表されるようにする。これにより、字幕データから抽出した文字列が比較的長い場合でも、ユーザは、どのような場面を表しているかを容易に確認することができる。
【００２９】
本発明にあっては、設定部は、チャプタを設定した場面の時間情報をチャプタに設定する。時間情報は、番組の冒頭からの経過時間でもよく、あるいは当該場面が映し出されている時点の時刻でもよい。これにより、ユーザは番組の進行状況を把握することができる。
【００３０】
本発明にあっては、生成部は、チャプタを設定した場面の画像を生成する。生成する画面は、例えば、サムネイルである。設定部は、生成部が生成した画像をチャプタに設定する。これにより、チャプタが設定された時点での場面の画像も表示させることができるので、ユーザは、さらに番組内容、場面の展開を容易に把握することができる。
【００３１】
本発明にあっては、設定部は、判定部で一致すると判定した文字データが、直近に一致すると判定した直近文字データと異なる場合、文字データをチャプタ名としてチャプタに設定する。例えば、字幕データから抽出した文字列が関連用語と一致した場合に、当該文字列が直近に一致すると判定した文字列と同じときには、当該文字列をチャプタ名として設定せず、当該文字列が直近に一致すると判定した文字列と異なるときに、チャプタ名として設定する。これにより、同じような場面で複数のチャプタが設定されることを防止することができる。
【００３２】
本発明にあっては、特定部は、取得した番組情報から番組のジャンル、番組名、出演者及び番組内容に関する情報の少なくとも１つを含むチャプタ名候補用語を決定する。記憶部は、決定したチャプタ名候補用語を関連用語として記憶する。これにより、番組特有のコンテンツを表すとともに、場面の変化やストーリーの展開を推測することができる関連用語を予め設定しておくことができる。
【００３３】
本発明にあっては、連想用語記憶部は、番組情報と関連付けて番組の場面を連想させる連想用語を予め記憶する。連想用語は、例えば、番組が「野球」である場合、「三振」、「ホームラン」、「ストライク」などの場面が盛り上がる時点、あるいは場面が変化する時点で音声出力（字幕表示）される言葉である。連想用語判定部は、取得した番組情報に関連する連想用語の有無を判定し、有と判定した連想用語を関連用語として記憶部に記憶する。これにより、種々の番組に関する多くの連想用語の中から、取得した番組情報に関連する連想用語だけを選択して関連用語として記憶することができる。また、関連用語に連想用語を付け加えることができるので、場面が盛り上がる時点、あるいは場面が変化する時点などにチャプタを設定することができる。
【００３４】
本発明にあっては、特定部は、取得した番組情報に基づいて、番組に関する評価を公開するネットワークサービスを特定する。ネットワークサービスとは、例えば、ソーシャルネットワーキングサービスであり、例えば、放送局のホームページ、番組のホームページ又は番組配信サービスのホームページ内のツイッター（登録商標）、フェースブック（登録商標）、掲示板などである。番組に関する評価は、例えば、番組に関する視聴者の書込み又はコメントなどであり、例えば、番組に対する感想又は意見などを含む。用語抽出部は、特定したネットワークサービス内の番組に関する評価から頻出用語を抽出する。すなわち、用語抽出部は、視聴者の書込み又はコメントなどの文書内を検索して同一の又は同意の用語の出現回数を計数し、出現回数が所定の閾値回数以上の用語を頻出用語として抽出する。記憶部は、抽出した頻出用語を関連用語として記憶する。これにより、視聴者の関心が高く、また視聴者の感想や意見を表現することができる関連用語を予め設定しておくことができる。
【００３５】
本発明にあっては、特定部は、取得した番組情報に基づいて、録画する番組に関する評価を公開するネットワークサービスを特定する。ネットワークサービスとは、例えば、ソーシャルネットワーキングサービスであり、例えば、放送局のホームページ、番組のホームページ又は番組配信サービスのホームページ内のツイッター（登録商標）、フェースブック（登録商標）、掲示板などである。番組に関する評価は、例えば、番組に関する視聴者の書込み又はコメントなどであり、例えば、番組に対する感想又は意見などを含む。時間帯特定部は、特定したネットワークサービス内の番組に関する評価数が所定の閾値以上となる番組中の時間帯を特定する。評価の計数は、例えば、視聴者の書込み又はコメントが１つのまとまりとして書込まれた場合、当該書込み又はコメントを１つの評価として計数する。時間帯は、任意の時間間隔とすることができる。例えば、番組中において、評価数が比較的多い時間帯を特定することができる。設定部は、特定した時間帯を用いてチャプタを設定する。例えば、ある時間帯で評価数が比較的多い場合、当該時間帯の任意の時点の場面でチャプタの区切り（チャプタ）を設定することができる。これにより、視聴者の関心が高い場面でチャプタを設定することができる。
【００３６】
本発明にあっては、用語抽出部は、特定した時間帯での評価から頻出用語を抽出する。すなわち、用語抽出部は、特定した時間帯における視聴者の書込み又はコメントなどの文書内を検索して同一の又は同意の用語の出現回数を計数し、出現回数が所定の閾値回数以上の用語を頻出用語として特定する。設定部は、抽出した頻出用語をチャプタに設定する。これにより、ユーザは、番組の中で視聴者の関心が高い場面を把握することができる。
【００３７】
本発明にあっては、設定部は、特定したネットワークサービスに関するサービス情報をチャプタに設定する。サービス情報とは、例えば、放送局のホームページ、番組のホームページ又は番組配信サービスのホームページ内のツイッター（登録商標）、フェースブック（登録商標）、掲示板などのホームページアドレス（ＵＲＬ）、広告又は宣伝などである。これにより、ユーザは、設定されたチャプタに関連する広告又は宣伝などを容易に取得することができ、サービス連携を実現することができる。
【００３８】
本発明にあっては、チャプタを表示することにより、番組の内容に応じた適切な場面への速やかな移動、あるいは番組の内容に応じた適切な場面の再生をすることができる。
【発明の効果】
【００３９】
本発明によれば、番組の内容に応じて適切なタイミングで自動的にチャプタを設定することができる。
【図面の簡単な説明】
【００４０】
【図１】本実施の形態の録画装置の構成の一例を示すブロック図である。
【図２】ジャンル情報ＤＢの一例を示す説明図である。
【図３】スポーツ一覧ＤＢの一例を示す説明図である。
【図４】スポーツ連想用語ＤＢの一例を示す説明図である。
【図５】タイトル連想用語ＤＢの一例を示す説明図である。
【図６】本実施の形態のデータベース間の情報の流れの一例を示す説明図である。
【図７】本実施の形態の録画装置によるチャプタ名候補用語ＤＢの作成の処理手順の一例を示すフローチャートである。
【図８】本実施の形態の録画装置による連想用語の登録方法の処理手順の一例を示すフローチャートである。
【図９】本実施の形態の録画装置による連想用語の登録方法の処理手順の一例を示すフローチャートである。
【図１０】チャプタの設定例を示す説明図である。
【図１１】１番組のチャプタの表示の第１例を示す説明図である。
【図１２】１番組のチャプタの表示の第２例を示す説明図である。
【図１３】１番組のチャプタの表示の第３例を示す説明図である。
【図１４】本実施の形態の録画装置によるチャプタ設定の処理手順を示すフローチャートである。
【図１５】実施の形態２の録画システムの構成の一例を示す模式図である。
【図１６】実施の形態２の録画装置のＤＢの更新方法の処理手順の第１例を示すフローチャートである。
【図１７】実施の形態２の録画装置のＤＢの更新方法の処理手順の第２例を示すフローチャートである。
【図１８】実施の形態２の録画装置のＤＢの更新方法の処理手順の第３例を示すフローチャートである。
【図１９】実施の形態２の録画装置のＤＢの更新方法の処理手順の第４例を示すフローチャートである。
【図２０】実施の形態２のチャプタの設定例を示す説明図である。
【図２１】実施の形態２の１番組のチャプタの表示の第１例を示す説明図である。
【図２２】実施の形態２の１番組のチャプタの表示の第２例を示す説明図である。
【図２３】実施の形態２の録画装置によるチャプタ設定の処理手順を示すフローチャートである。
【発明を実施するための形態】
【００４１】
（実施の形態１）
以下、本発明を実施の形態を示す図面に基づいて説明する。図１は本実施の形態の録画装置１００の構成の一例を示すブロック図である。図１に示すように、録画装置１００は、装置全体を制御するＣＰＵ１０、ＲＡＭ１１、不揮発性メモリ１２、通信部１３、リモコン受光部１４、チューナ／復調／分離部１５、ＵＳＢ端子１６、映像信号処理部１７、ＥＰＧ／ＯＳＤ／ＢＭＬ処理部１８、音声信号処理部１９、ＨＤＤ（ハードディスクドライブ）２０、ＢＤ／ＤＶＤドライブ２１、メモリカードスロット２２、ストリーム制御回路２３、映像出力変換部２４、音声出力変換部２５などを備える。なお、以下の説明では、録画装置１００は、デジタル放送を受信して番組を録画する構成であるが、番組はデジタル放送に限定されるものではなく、例えば、インターネット又は電話回線網にあるサーバ等からオンデマンド形式で番組を取得する構成であってもよい。
【００４２】
チューナ／復調／分離部１５は、番組信号を取得する取得部としての機能を有する。チューナ／復調／分離部１５は、アンテナで受信したデジタル放送の受信信号をチューニングし、チューニングされたデジタル信号を復調し、復調した信号から、（１）映像信号（映像データ）、（２）音声信号（音声データ）、（３）字幕データ及び番組情報を分離する。番組情報は、例えば、デジタル放送で使用される番組配列情報などのテーブル（例えば、ＥＩＴ：Event Information Tableなど）に記載されている。
【００４３】
チューナ／復調／分離部１５は、分離した映像信号を映像信号処理部１７へ出力する。また、チューナ／復調／分離部１５は、分離した音声信号を音声信号処理部１９へ出力する。また、チューナ／復調／分離部１５は、分離した字幕データ及び番組情報をＣＰＵ１０、及びＥＰＧ／ＯＳＤ／ＢＭＬ処理部１８へ出力する。
【００４４】
映像信号処理部１７は、分離された映像信号をＭＰＥＧ２方式に基づいて符号化する。また、映像信号処理部１７は、生成部としての機能を有し、番組の場面（シーン）を表すサムネイルなどの静止画像を生成する。
【００４５】
音声信号処理部１９は、分離された音声信号をＭＰＥＧ２ＡＡＣ、ＭＰＥＧ１、ドルビーデジタル（ドルビーは、ドルビーラボラトリーズの登録商標）などの方式に基づいて符号化する。
【００４６】
ストリーム制御回路２３は、録画部としての機能を有し、映像信号処理部１７及び音声信号処理部１９で符号化されたデジタル信号を合成してデジタル映像音声ストリームを形成する。ストリーム制御回路２３は、番組を録画する場合、デジタル映像音声ストリームをＨＤＤ２０、ＢＤ／ＤＶＤドライブ２１に装填したＢＤ／ＤＶＤディスク、メモリカードスロット２２に装着したメモリカード、ＵＳＢ端子１６に装着したＵＳＢ−ＨＤＤなどへ出力する。
【００４７】
ＥＰＧ／ＯＳＤ／ＢＭＬ処理部１８は、番組情報に含まれるＥＰＧ（電子番組表）の処理、メニューなどのＯＳＤ（On Screen Display）、データ放送の表示処理、字幕の表示
処理を行う。
【００４８】
映像出力変換部２４は、映像信号処理部１７で符号化されたデジタル信号にＥＰＧ／ＯＳＤ／ＢＭＬ処理部１８で処理された情報を合成して映像出力する信号に変換する。
【００４９】
音声出力変換部２５は、音声信号処理部１９で符号化されたデジタル信号を音声出力する信号に変換する。
【００５０】
リモコン受光部１４は、ユーザが操作する遠隔操作端末（不図示）からの信号を受信する。リモコン操作により、番組の録画、再生、チャプタの表示、チャプタ間の移動などを行うことができる。
【００５１】
通信部１３は、ＬＡＮ等のネットワークを経由して他の機器との通信機能を有し、例えば、他のテレビジョン受信機との間でデータの送受信を行うことができる。
【００５２】
不揮発性メモリ１２は、後述のジャンル情報ＤＢ５２、スポーツ一覧ＤＢ５３、スポーツ連想用語ＤＢ５４、タイトル連想用語ＤＢ５５、辞書ＤＢ５０などの各種データベース、及びＣＰＵ１０が実行するプログラムなどを記憶している。
【００５３】
ＲＡＭ１１は、ＣＰＵ１０が実行するプログラム、チューナ／復調／分離部１５で分離した字幕データ及びＥＰＧデータを含む番組情報、後述のチャプタ名候補用語ＤＢ５１などを記憶する。
【００５４】
ＣＰＵ１０は、字幕データから文字データ（文字列）を抽出する抽出部、文字データが関連用語（チャプタ名候補用語）に一致するか否かを判定する判定部、チャプタ（チャプタの区切り）を設定する設定部、チャプタ名候補用語を決定する決定部、連想用語の有無を判定する連想用語判定部などの機能を有する。
【００５５】
次に、本実施の形態の録画装置１００が使用するデータベース（ＤＢ）について説明する。本実施の形態では、単語検索のための辞書ＤＢ５０、番組内容に関連する複数の関連用語を記憶したチャプタ名候補用語ＤＢ５１、番組の種々のジャンルを記憶したジャンル情報ＤＢ５２、スポーツ名の一覧を記憶したスポーツ一覧ＤＢ５３、種々のスポーツに関する番組で場面が盛り上がる時点、あるいは場面が変化する時点で音声出力（字幕表示）される可能性がある単語、言葉を記憶したスポーツ連想用語ＤＢ５４、ドラマ・映画に関する種々の番組で場面が盛り上がる時点、あるいは場面が変化する時点で音声出力（字幕表示）される可能性がある単語、言葉を記憶したタイトル連想用語ＤＢ５５、ユーザが視聴している番組の番組情報又は字幕データからユーザ嗜好の単語を抽出して登録したユーザ登録用語ＤＢ５６などを使用する。
【００５６】
チャプタ名候補用語ＤＢ５１に記憶する関連用語は、番組特有のコンテンツを表すとともに、場面の変化やストーリーの展開を推測することができるものである。なお、前述のデータベースは一例であって、これらに限定されるものではない。
【００５７】
図２はジャンル情報ＤＢ５２の一例を示す説明図である。ジャンル情報ＤＢ５２は、番組のジャンルの一覧を記憶してあり、例えば、音楽、ドラマ、映画、スポーツ、バラエティ、趣味／教育、アニメ／特撮、ニュース／報道、情報／ワイドショー、劇場／公演、ドキュメンタリー／教養、福祉などに分類されている。
【００５８】
図３はスポーツ一覧ＤＢ５３の一例を示す説明図である。スポーツ一覧ＤＢ５３は、スポーツの名称の一覧を記憶してあり、例えば、野球、サッカー、ゴルフ、バレーボール、バスケットボール、水泳、相撲、柔道、マラソン、競馬、…などに分類されている。なお、スポーツ一覧ＤＢ５３の構成は一例であって、図３の例に限定されるものではない。
【００５９】
図４はスポーツ連想用語ＤＢ５４の一例を示す説明図である。スポーツ連想用語ＤＢ５４は、番組情報と関連付けて番組の場面を連想させる連想用語を記憶している。図４に示すように、番組としては、例えば、野球、サッカー、ゴルフ、…のように、スポーツ一覧ＤＢ５３に記憶されたスポーツ名それぞれについて、連想用語として、例えば、スポーツ名が「野球」である場合、「三振」、「ホームラン」、「ファインプレー」、「逆転」、「ストライク」、「満塁」、「ダブルプレー」、「ハイライト」、「試合終了」、「ヒット」、「エラー」などの番組特有の場面が盛り上がる時点、あるいは場面が変化する時点で音声出力（字幕表示）される単語又は言葉を記憶している。
【００６０】
また、スポーツ名が「サッカー」である場合には、「ゴール」、「フリーキック」、「コーナーキック」、「ファインセーブ」、「シュート」、「オフサイド」、「サイドアタック」、「ドリブル」、「ペナルティ」、「試合終了」などの番組特有の場面が盛り上がる時点、あるいは場面が変化する時点で音声出力（字幕表示）される単語又は言葉を記憶している。
【００６１】
また、同様に、スポーツ名が「ゴルフ」である場合には、「フォールインワン」、「バーディー」、「イーグル」、「アルバトロス」、「池」、「バンカー」、「ショット」、「パット」などの番組特有の場面が盛り上がる時点、あるいは場面が変化する時点で音声出力（字幕表示）される単語又は言葉を記憶している。他のスポーツ名についても同様に、番組特有の場面が盛り上がる時点、あるいは場面が変化する時点で音声出力（字幕表示）される単語又は言葉を記憶している。
【００６２】
図５はタイトル連想用語ＤＢ５５の一例を示す説明図である。タイトル連想用語ＤＢ５５は、番組情報と関連付けて番組の場面を連想させる連想用語を記憶している。図５に示すように、タイトル連想用語ＤＢ５５は、番組名、すなわちタイトル名と連想用語を対応付けている。タイトル名としては、例えば、刑事もの又はサスペンス系のタイトル、時代劇のタイトル、恋愛もののタイトル、アクションもののタイトル、ミステリー系のタイトルなどである。なお、タイトル名としては、実際の番組名を使用することもできる。
【００６３】
図５に示すように、例えば、タイトル名が「刑事もの又はサスペンス系」である場合、「犯人」、「謎」、「手がかり」などの番組特有の場面が盛り上がる時点、あるいは場面が変化する時点で音声出力（字幕表示）される単語又は言葉を記憶している。
【００６４】
また、タイトル名が「時代劇」である場合、「太刀」、「侍」、「待ち伏せ」、「切腹」などの番組特有の場面が盛り上がる時点、あるいは場面が変化する時点で音声出力（字幕表示）される単語又は言葉を記憶している。
【００６５】
また、タイトル名が「恋愛もの」である場合、「出会い」、「別れ」、「涙」、「プレゼント」、「笑顔」などの番組特有の場面が盛り上がる時点、あるいは場面が変化する時点で音声出力（字幕表示）される単語又は言葉を記憶している。
【００６６】
また、タイトル名が「アクションもの」である場合、「サイレン」、「車」、「刃物」、「拳銃」などの番組特有の場面が盛り上がる時点、あるいは場面が変化する時点で音声出力（字幕表示）される単語又は言葉を記憶している。
【００６７】
また、タイトル名が「ミステリー系」である場合、「秘密」、「秘宝」、「暗闇」などの番組特有の場面が盛り上がる時点、あるいは場面が変化する時点で音声出力（字幕表示）される単語又は言葉を記憶している。なお、他のタイトル名についても同様に、番組特有の場面が盛り上がる時点、あるいは場面が変化する時点で音声出力（字幕表示）される単語又は言葉を記憶している。
【００６８】
次に、ＣＰＵ１０がそれぞれのデータベースをどのように使用するかについて説明する。図６は本実施の形態のデータベース間の情報の流れの一例を示す説明図である。番組を録画する際に、ＣＰＵ１０は番組情報４０を取得する。ＣＰＵ１０は、辞書ＤＢ５０を使用して（符号Ｓ１参照）、番組情報４０から、ジャンル、番組名（タイトル名）、出演者、役名、曲名、番組内容、ストーリー（あらすじ）などの情報のうち、録画する番組の番組情報に含まれる情報（単語など）を抜き出して、チャプタ名候補用語ＤＢ５１に記憶する（符号Ｓ２参照）。
【００６９】
また、ＣＰＵ１０は、番組情報４０を用いて、番組内容に応じた連想用語の有無を判定し、番組内容に関連する連想用語が有る場合、当該連想用語をチャプタ名候補用語ＤＢ５１に記憶することもできる。なお、連想用語の有無の判定及び連想用語のチャプタ名候補用語ＤＢ５１への記憶は必須ではなく、省略することもできる。
【００７０】
図６に示すように、ＣＰＵ１０は、ジャンル情報ＤＢ５２を使用して、番組情報４０から録画する番組のジャンルを決定する。決定したジャンルが、例えば、「スポーツ」である場合には、スポーツ一覧ＤＢ５３、スポーツ連想用語ＤＢ５４を用いて、番組の場面を連想させるような連想用語を選択してチャプタ名候補用語ＤＢ５１に記憶する。また、同様に、決定したジャンルが、例えば、「ドラマ」、「映画」である場合には、タイトル連想用語ＤＢ５５を用いて、番組の場面を連想させるような連想用語を選択してチャプタ名候補用語ＤＢ５１に記憶する（符号Ｓ３参照）。
【００７１】
また、番組を録画するか否かに関わらず、ユーザが視聴している番組の番組情報又は字幕データからユーザ嗜好の単語又は言葉を抽出してユーザ登録用語ＤＢ５６に記憶し、ユーザ登録用語ＤＢ５６に記憶した単語又は言葉をチャプタ名候補用語ＤＢ５１に記憶することもできる。
【００７２】
次に、本実施の形態の録画装置１００によるチャプタ名候補用語ＤＢ５１の作成方法について説明する。図７は本実施の形態の録画装置１００によるチャプタ名候補用語ＤＢ５１の作成の処理手順の一例を示すフローチャートである。ＣＰＵ１０は、番組を録画する際に、番組の番組情報を取得し（Ｓ１１）、取得した番組情報から番組のジャンルを特定し（Ｓ１２）、番組名（タイトル名）を特定し（Ｓ１３）、出演者、役名、曲名を特定し（Ｓ１４）、番組内容（ストーリー、あらすじなど番組の記述内容）を特定する（Ｓ１５）。
【００７３】
ＣＰＵ１０は、特定した情報に基づいて、チャプタ名候補用語を決定し（Ｓ１６）、決定したチャプタ名候補用語をチャプタ名候補用語ＤＢ５１に登録する（Ｓ１７）。これにより、チャプタ名候補用語ＤＢ５１には、録画しようとしている番組内容に関連する関連用語が記憶される。
【００７４】
ＣＰＵ１０は、ステップＳ１２〜Ｓ１５で特定した情報に基づいて、番組の場面を連想させる連想用語の有無を判定し（Ｓ１８）、連想用語がある場合（Ｓ１８でＹＥＳ）、連想用語をチャプタ名候補用語ＤＢ５１に登録し（Ｓ１９）、処理を終了する。これにより、チャプタ名候補用語ＤＢ５１には、録画しようとしている番組特有の場面が盛り上がる時点、重要な場面、あるいは場面が変化する時点で音声出力（字幕表示）される単語又は言葉が記憶される。
【００７５】
連想用語がない場合（Ｓ１８でＮＯ）、ＣＰＵ１０は、ステップＳ１９の処理を行うことなく処理を終了する。
【００７６】
上述のように、ＣＰＵ１０は、取得した番組情報から番組のジャンル、番組名、出演者及び番組内容に関する情報の少なくとも１つを含むチャプタ名候補用語を決定する。チャプタ名候補用語ＤＢ５１は、決定されたチャプタ名候補用語を関連用語として記憶する。これにより、番組特有のコンテンツを表すとともに、場面の変化やストーリーの展開を推測することができる関連用語を予め設定しておくことができる。
【００７７】
次に連想用語の登録方法の詳細について説明する。図８及び図９は本実施の形態の録画装置１００による連想用語の登録方法の処理手順の一例を示すフローチャートである。図８及び図９に示す処理は、図７のステップＳ１６〜Ｓ１９の処理をさらに具体的に示すものである。なお、図７乃至図９に例示の処理は、番組の録画を開始する際に、後述の図１４で例示するチャプタの設定処理の前に行われる。
【００７８】
ＣＰＵ１０は、番組情報に基づいて、番組のジャンルを判定する（Ｓ３１）。ＣＰＵ１０は、番組のジャンルが音楽であるか否かを判定し（Ｓ３２）、ジャンルが音楽である場合（Ｓ３２でＹＥＳ）、番組情報から出演者、曲名を特定し（Ｓ３３）、特定した用語（出演者、曲名）をチャプタ名候補用語ＤＢ５１に登録し（Ｓ３４）、処理を終了する。なお、ジャンルが音楽の場合、出演者に、歌手、グループ名、演奏者、司会者などを含めてもよい。この場合、ＣＰＵ１０は、連想用語がないと判定している。
【００７９】
ジャンルが音楽でない場合（Ｓ３２でＮＯ）、ＣＰＵ１０は、ジャンルがドラマ又は映画であるか否かを判定する（Ｓ３５）。ジャンルがドラマ又は映画である場合（Ｓ３５でＹＥＳ）、ＣＰＵ１０は、出演者、役名、タイトル（番組名）を特定し（Ｓ３６）、特定した用語（出演者、役名、タイトルなど）をチャプタ名候補用語ＤＢ５１に登録する（Ｓ３７）。
【００８０】
ＣＰＵ１０は、タイトル連想用語ＤＢ５５を探索して、ステップＳ３６で特定したタイトルに対応する連想用語を特定し（Ｓ３８）、特定した連想用語をチャプタ名候補用語ＤＢ５１に登録し（Ｓ３９）、処理を終了する。
【００８１】
ジャンルがドラマ又は映画でない場合（Ｓ３５でＮＯ）、ＣＰＵ１０は、ジャンルがスポーツであるか否かを判定する（Ｓ４０）。ジャンルがスポーツである場合（Ｓ４０でＹＥＳ）、ＣＰＵ１０は、スポーツ一覧ＤＢ５３を用いて、タイトル（番組名）からスポーツ名を特定する（Ｓ４１）。
【００８２】
ＣＰＵ１０は、スポーツ連想用語ＤＢ５４を探索し、ステップＳ４１で特定したスポーツ名に対応する連想用語を特定し（Ｓ４２）、特定した連想用語をチャプタ名候補用語ＤＢ５１に登録し（Ｓ４３）、処理を終了する。
【００８３】
ジャンルがスポーツでない場合（Ｓ４０でＮＯ）、すなわち、番組のジャンルが音楽、ドラマ、映画及びスポーツのいずれでもない場合、ＣＰＵ１０は、出演者、番組内容から用語（単語）を特定し（Ｓ４４）、特定した用語をチャプタ名候補用語ＤＢ５１に登録し（Ｓ４５）、処理を終了する。この場合、ＣＰＵ１０は、連想用語がないと判定している。
【００８４】
上述のように、ＣＰＵ１０は、取得した番組情報に関連する連想用語の有無を判定し、有と判定した連想用語を関連用語としてチャプタ名候補用語ＤＢ５１に記憶する。これにより、種々の番組に関する多くの連想用語の中から、取得した番組情報に関連する連想用語だけを選択して関連用語として記憶することができる。また、関連用語に連想用語を付け加えることができるので、場面が盛り上がる時点、重要な場面、あるいは場面が変化する時点などに後述のようにチャプタを設定することができる。
【００８５】
次に、本実施の形態の録画装置１００によるチャプタの設定方法について説明する。なお、チャプタは、番組の場面を適当な箇所で区切った場合、区切られた場面全体をいう。なお、番組の場面を区切る際の区切りということもできる。
【００８６】
ＣＰＵ１０は、録画する番組の番組情報に含まれる字幕データから単語を含む文字データを抽出する。文字データは、文字列であり、例えば、単語、あるいは単語を修飾する修飾語と当該単語からなる文字列である。
【００８７】
ＣＰＵ１０は、抽出した文字データの一部又は全部がチャプタ名候補用語ＤＢ５１に記憶した関連用語に一致するか否かを判定する。ＣＰＵ１０は、番組を録画する場合に、関連用語に一致すると判定した文字データ（文字列）が表示される場面（シーン）でチャプタ（チャプタの区切り）を設定する。
【００８８】
録画中の番組の映像に同期して字幕が表示されている場合、字幕の表示タイミングに合わせてチャプタを設定することができる。例えば、字幕の表示タイミングを制御する制御パラメータを利用して、字幕データから抽出した文字列が画面上で表示されるタイミングでチャプタを設定する。
【００８９】
番組のあらすじの展開、場面（シーン）の変化は、字幕にも同様に表れる。種々のジャンルの番組について、番組内容に関連する関連用語を予め記憶しておき、番組内容に関連する関連用語と字幕に現れる文字列が一致（部分一致も含む）するときにチャプタを設定するので、ユーザが手動操作することなく、番組特有のコンテンツ、場面の変化やストーリーの展開に応じてチャプタを設定することができ、番組の内容に応じて適切なタイミングで自動的にチャプタを設定することができる。
【００９０】
図１０はチャプタの設定例を示す説明図である。図１０は録画装置１００（ＣＰＵ１０）で設定したチャプタの表示例を示すものである。図１０では、番組は野球であるとする。図１０Ａはチャプタ名を表示した例である。すなわち、ＣＰＵ１０は、チャプタ名候補用語ＤＢ５１に記憶した関連用語に一致すると判定した文字データ（文字列）をチャプタ名としてチャプタに設定する。図１０Ａでは、画面に表示された字幕の中で「ホームラン」という文字例をチャプタ名としている。これにより、番組特有のコンテンツ、場面の変化やストーリーの展開に応じたチャプタタイトルを設定することができるので、ユーザは、それぞれのチャプタが番組内でどのような場面を表しているかを容易に確認することができる。
【００９１】
図１０Ｂはチャプタ名及び時刻（時間）を表示した例である。すなわち、ＣＰＵ１０は、チャプタを設定した場面の時間情報をチャプタに設定する。時間情報は、番組の冒頭からの経過時間（図１０Ｂの例では、８分）でもよく、あるいは当該場面が映し出されている時点の時刻（図１０Ｂの例では、７時８分）でもよい。これにより、ユーザは番組の進行状況を把握することができる。
【００９２】
図１０Ｃはチャプタ名及び時刻（時間）を表示した例である。図１０Ｃの例では、チャプタ名が１つの単語ではなく、「逆転満塁」という単語と「ホームラン」という２つの単語を表示する例である。なお、単語を修飾する修飾語を同時に表示してもよい。例えば、「特大のホームラン」の如くである。
【００９３】
図１０Ｄはチャプタ名及び時刻（時間）を表示した例である。図１０Ｄの例では、字幕の文字列「起死回生  ホームラン」のうち、「ホームラン」がチャプタ名候補用語ＤＢ５１に記憶した関連用語に一致したとする。すなわち、ＣＰＵ１０は、字幕の文字データの一部が関連用語に一致すると判定した場合、当該文字データの一部と他の部分とを異なる表示態様にして文字データをチャクタに設定する。例えば、字幕から抽出した文字列が、「起死回生ホームラン」であり、関連用語が「ホームラン」である場合、一致する文言「ホームラン」と一致しない文言「起死回生」とが異なる色、異なる字体、異なる模様で表されるようにする。これにより、字幕データから抽出した文字列が比較的長い場合でも、ユーザは、どのような場面を表しているかを容易に確認することができる。
【００９４】
図１０Ｅはチャプタ名、時刻（時間）及びサムネイルを表示した例である。すなわち、ＣＰＵ１０は、映像信号処理部１７が生成した静止画像（チャプタを設定した場面の画像）をチャプタに設定することにより、サムネイルも同時に表示することができる。これにより、チャプタが設定された時点での場面の画像も表示させることができるので、ユーザは、さらに番組内容、場面の展開を容易に把握することができる。
【００９５】
図１０Ｆは字幕も同時にキャプチャしたサムネイルを表示した例である。これにより、チャプタが設定された時点での場面の画像も表示させることができるので、ユーザは、さらに番組内容、場面の展開を容易に把握することができる。
【００９６】
チャプタを設定する場合に、ＣＰＵ１０が一致すると判定した文字データが、直近に一致すると判定した直近文字データと異なる場合、文字データをチャプタ名として設定することができる。例えば、字幕データから抽出した文字列が関連用語と一致した場合に、当該文字列が直近に一致すると判定した文字列と同じときには、当該文字列をチャプタ名として設定せず、当該文字列が直近に一致すると判定した文字列と異なるときに、チャプタ名として設定する。これにより、同じような場面で複数のチャプタが設定されることを防止することができる。
【００９７】
図１１は１番組のチャプタの表示の第１例を示す説明図である。図１１の例は、約１時間５０分の野球の番組を放送時間軸に沿って模式的に表示したものであり、番組の開始から、８分、２０分、３５分、５０分、１時間１５分、１時間３２分、１時間４５分だけ経過した時点でチャプタが設定されている。チャプタには、字幕の中で関連用語と一致した単語が経過時間と共に表示されている。また、番組の最初から約１５分の時点まで再生が進んでいることも表示されている。
【００９８】
図１１の例では、設定されたチャプタをすべて表示する例であり、放送時間軸と設定されたチャプタのチャプタ名（字幕から抽出した文字列）及び時刻（番組の最初からの経過時間）との相関から、番組の流れ、ストーリーが判る。また、チャプタ名と時間情報とから、１つの番組において、ある程度番組の展開が判り、さらに所望のチャプタにジャンプしてハイライトシーン、特徴的な場面だけをダイジェスト版として再生することも可能である。
【００９９】
図１２は１番組のチャプタの表示の第２例を示す説明図である。図１２の例では、設定したチャプタのうち、「ホームラン」というキーワード（文字列）のみを表示したものである。野球放送の中で、ホームランが出た場面（シーン）以外の場面を除いて、ホームランの場面だけを連続して再生することが可能となる。また、ホームランの場面の時間も表示されているので、試合のどの辺でホームランが出たのかも良くわかるので、ユーザにとってあまり関心がない場面を見る必要がなく、番組（試合）の全体を短時間で把握することができる。
【０１００】
図１３は１番組のチャプタの表示の第３例を示す説明図である。図１３の例では、野球の試合で得点が入った場面のチャプタだけを表示したものである。これにより、得点経過と試合の展開が判り、得点シーンだけを再生することも可能となる。ユーザが得点シーンだけを見たいと希望する場合に最適な表示方法となる。
【０１０１】
図１１乃至図１３のように、チャプタを表示することにより、番組の内容に応じた適切な場面への速やかな移動、あるいは番組の内容に応じた適切な場面の再生をすることができる。また、所望の場面へのジャンプの際の操作性も向上する。
【０１０２】
図１４は本実施の形態の録画装置１００によるチャプタ設定の処理手順を示すフローチャートである。ＣＰＵ１０は、番組の録画を開始し（Ｓ６１）、字幕データの有無を判定する（Ｓ６２）。字幕データの有無の判定は、例えば、実際の放送において番組を録画するときの現在の時刻で字幕が表示されるか否か（存在するか否か）を判定する。
【０１０３】
字幕データがない場合（Ｓ６２でＮＯ）、ＣＰＵはステップＳ６２の処理を続ける。字幕データがある場合（Ｓ６２でＹＥＳ）、ＣＰＵ１０は、字幕データから文字データを抽出し（Ｓ６３）、抽出した文字データの一部又は全部がチャプタ名候補用語（関連用語）と一致するか否かを判定する（Ｓ６４）。
【０１０４】
抽出した文字データがチャプタ名候補用語と一致しない場合（Ｓ６４でＮＯ）、ＣＰＵ１０は、ステップＳ６２以降の処理を続ける。抽出した文字データがチャプタ名候補用語と一致した場合（Ｓ６４でＹＥＳ）、ＣＰＵ１０は、当該チャプタ名候補用語が直近に一致したチャプタ名候補用語と同一か否かを判定する（Ｓ６５）。
【０１０５】
当該チャプタ名候補用語が直近に一致したチャプタ名候補用語と同一である場合（Ｓ６５でＹＥＳ）、ＣＰＵ１０は、同一チャプタ名のチャプタが連続して設定されるのを防止すべく、チャプタの設定を行うことなく、ステップＳ６２以降の処理を続ける。
【０１０６】
当該チャプタ名候補用語が直近に一致したチャプタ名候補用語と同一でない場合（Ｓ６５でＮＯ）、ＣＰＵ１０は、一致した文字データが表示される場面（シーン）でチャプタ（チャプタの区切り）を設定する（Ｓ６６）。
【０１０７】
ＣＰＵ１０は、一致した文字データ（文字列）をチャプタ名としてチャプタに設定し（Ｓ６７）、チャプタに時間情報を付加する（Ｓ６８）。時間情報は、番組の冒頭からの経過時間でもよく、あるいは当該場面が映し出されている時点の時刻でもよい。
【０１０８】
ＣＰＵ１０は、録画を終了したか否かを判定し（Ｓ６９）、録画を終了していない場合（Ｓ６９でＮＯ）、ステップＳ６２以降の処理を行い、録画を終了した場合（Ｓ６９でＹＥＳ）、処理を終了する。
【０１０９】
上述のように、本実施の形態によれば、番組の録画時に自動的にチャプタ（チャプタの区切り）を設定することができる。また、字幕から抽出した文字列と番組に関連する関連用語との一致・不一致を判定することにより、番組の内容に応じたチャプタを適切な場面（シーン）で設定することができる。また、字幕から抽出した文字列と番組の場面を連想させる連想用語との一致・不一致を判定することにより、場面が盛り上がる時点、重要な場面、あるいは場面が変化する時点などにチャプタを設定することができる。
【０１１０】
上述の実施の形態では、デジタル放送信号を受信して番組を録画する場合について説明したが、本実施の形態の録画装置１００は、デジタル放送番組だけに限定されるものではなく、インターネット又は電話回線網上に設けられたサーバからユーザが所要の番組をオンデマンド形式でダウンロードする番組に対しても適用することができる。
【０１１１】
また、本実施の形態の録画装置１００を組み込んだテレビジョン受信機においても、番組の内容に応じて適切なタイミングで自動的にチャプタを設定することができる。
【０１１２】
本実施の形態において、ユーザが自分でチャプタを設定した場面の近くの場面で表示される字幕データに含まれる単語（文字列）、ユーザが自分で設定したチャプタ名（チャプタタイトル）、視聴している番組の番組情報又は字幕データなどから、関連用語を取り出して、ユーザ嗜好のユーザ登録用語ＤＢを作成することもできる。そして、チャプタを設定する際にユーザ登録用語ＤＢに記憶した関連用語を使用することもできる。
【０１１３】
上述の実施の形態において、字幕データから抽出した文字データの中に、関連用語と一致するものが複数存在する場合には、チャプタを設定するときに、複数の単語を表示させるようにしてもよい。これにより、ユーザが複数の単語を関連付けることで一層場面の特徴を把握することができる。
【０１１４】
（実施の形態２）
図１５は実施の形態２の録画システムの構成の一例を示す模式図である。図１５に示すように、実施の形態２の録画システムは、前述の実施の形態１の録画装置１００、データベースサーバ２００、ネットワークサービスサーバ３００などを備える。録画装置１００、データベースサーバ２００及びネットワークサービスサーバ３００は、有線ＬＡＮ又は無線ＬＡＮを含むインターネット１を介して接続してある。なお、データベースサーバ２００及びネットワークサービスサーバ３００は、１つのサーバに統合してもよく、あるいは、複数のサーバで構成するようにしてもよい。なお、実施の形態２の録画装置１００の構成は、図１に例示した構成と同様であるので、詳細な説明は省略する。
【０１１５】
録画装置１００、より具体的には、ＣＰＵ１０は、通信部１３を介してデータベースサーバ２００及びネットワークサービスサーバ３００との間で所定のデータ又は情報の授受を行うことができる。なお、通信部１３とは別個の通信部（不図示）を備え、当該通信部を介してデータベースサーバ２００及びネットワークサービスサーバ３００との間で所定のデータ又は情報の授受を行うようにしてもよい。
【０１１６】
データベースサーバ２００は、録画装置１００が具備する各種ＤＢ、例えば、辞書ＤＢ５０、チャプタ名候補用語ＤＢ５１、ジャンル情報ＤＢ５２、スポーツ一覧ＤＢ５３、スポーツ連想用語ＤＢ５４、タイトル連想用語ＤＢ５５などと同様のＤＢを具備する。また、データベースサーバ２００は、自身が具備するＤＢを更新した場合、更新したＤＢ、更新日時、更新内容などを記録することができる。
【０１１７】
実施の形態２では、録画装置１００は、データベースサーバ２００から関連用語を取得して、辞書ＤＢ５０、チャプタ名候補用語ＤＢ５１、ジャンル情報ＤＢ５２、スポーツ一覧ＤＢ５３、スポーツ連想用語ＤＢ５４、タイトル連想用語ＤＢ５５、ユーザ登録用語ＤＢなどの各種ＤＢを更新する。以下、各種ＤＢの更新について説明する。
【０１１８】
図１６は実施の形態２の録画装置１００のＤＢの更新方法の処理手順の第１例を示すフローチャートである。ＣＰＵ１０は、データベースサーバ２００にアクセスし（Ｓ１０１）、データベースサーバ２００内の各種ＤＢの更新の有無を判定する（Ｓ１０２）。
【０１１９】
ＣＰＵ１０は、データベースサーバ２００内の各種ＤＢに更新があった場合（Ｓ１０２でＹＥＳ）、ＣＰＵ１０は、更新データを取得し（Ｓ１０３）、対応する自身の各種ＤＢを更新し（Ｓ１０４）、処理を終了する。なお、更新するＤＢは１つでもよく複数でもよい。ＣＰＵ１０は、データベースサーバ２００内の各種ＤＢに更新がなかった場合（Ｓ１０２でＮＯ）、ステップＳ１０３、Ｓ１０４の処理を行うことなく処理を終了する。
【０１２０】
データベースサーバ２００を用いて関連用語を更新することができるので、新規の用語、流行語、新しいキャラクタの名称、役名、人気が出始めたものを表現した用語などをタイムリーに補充することができる。なお、インターネットの検索サイトにおける検索上位の用語を取得するようにしてもよい。
【０１２１】
図１７は実施の形態２の録画装置１００のＤＢの更新方法の処理手順の第２例を示すフローチャートである。ＣＰＵ１０は、データベースサーバ２００にアクセスし（Ｓ１１１）、データベースサーバ２００内の各種ＤＢの更新の有無を判定する（Ｓ１１２）。
【０１２２】
ＣＰＵ１０は、データベースサーバ２００内の各種ＤＢに更新があった場合（Ｓ１１２でＹＥＳ）、ＣＰＵ１０は、更新データを取得し（Ｓ１１３）、対応する自身の各種ＤＢを更新する（Ｓ１１４）。
【０１２３】
ＣＰＵ１０は、更新するＤＢ内の未使用の用語を削除し（Ｓ１１５）、処理を終了する。未使用の用語を削除する場合には、例えば、最後に使用された時点から所定時間以上経過している用語、あるいは所定時間における使用回数が所定回数以下の用語などを削除することができる。
【０１２４】
ＣＰＵ１０は、データベースサーバ２００内の各種ＤＢに更新がなかった場合（Ｓ１１２でＮＯ）、ステップＳ１１３〜Ｓ１１５の処理を行うことなく処理を終了する。未使用の用語を削除することにより、録画装置１００内のＤＢのデータ量が増加することを抑制することができる。
【０１２５】
図１８は実施の形態２の録画装置１００のＤＢの更新方法の処理手順の第３例を示すフローチャートである。ＣＰＵ１０は、データベースサーバ２００にアクセスし（Ｓ１２１）、データベースサーバ２００内の各種ＤＢ内にユーザ嗜好の単語と一致（全部一致又は部分一致）するデータの有無を判定する（Ｓ１２２）。なお、この場合、ＣＰＵ１０は、ユーザ登録用語ＤＢ５６に登録されていない単語であって、ユーザ嗜好の単語をデータベースサーバ２００へ通知するようにして、一致・不一致を判定することができる。
【０１２６】
ユーザ嗜好の単語と一致するデータがある場合（Ｓ１２２でＹＥＳ）、ＣＰＵ１０は、一致するデータを取得し（Ｓ１２３）、ＤＢ（ユーザ登録用語ＤＢ５６）を更新し（Ｓ１２４）、処理を終了する。ＣＰＵ１０は、ユーザ嗜好の単語と一致するデータがなかった場合（Ｓ１２２でＮＯ）、ステップＳ１２３、Ｓ１２４の処理を行うことなく処理を終了する。
【０１２７】
ネットワークサービスサーバ３００は、番組に関する評価を公開するソーシャルネットワーキングサービスが提供されるサーバであり、ソーシャルネットワークサービス（ソーシャルネットワーキングサービスとも称する）は、例えば、放送局のホームページ、番組のホームページ又は番組配信サービスのホームページ内のツイッター（登録商標）、フェースブック（登録商標）、掲示板などである。
【０１２８】
実施の形態２では、録画装置１００は、ネットワークサービスサーバ３００にアクセスして、視聴者がソーシャルネットワークサービスを利用して書込んだ番組に対する評価（意見、感想などを含む）を用いて、辞書ＤＢ５０、チャプタ名候補用語ＤＢ５１、ジャンル情報ＤＢ５２、スポーツ一覧ＤＢ５３、スポーツ連想用語ＤＢ５４、タイトル連想用語ＤＢ５５、ユーザ登録用語ＤＢなどの各種ＤＢを更新する。以下、各種ＤＢの更新について説明する。
【０１２９】
図１９は実施の形態２の録画装置１００のＤＢの更新方法の処理手順の第４例を示すフローチャートである。ＣＰＵ１０は、番組情報を取得し（Ｓ１３１）、取得した番組情報に基づいてネットワークサービスの情報を特定する（Ｓ１３２）。
【０１３０】
ネットワークサービスは、番組に関する評価を公開するソーシャルネットワーキングサービスであり、例えば、放送局のホームページ、番組のホームページ又は番組配信サービスのホームページ内のツイッター（登録商標）、フェースブック（登録商標）、掲示板などである。番組に関する評価は、例えば、番組に関する視聴者の書込み又はコメントなどであり、例えば、番組に対する感想又は意見などを含む。
【０１３１】
ＣＰＵ１０は、ネットワークサービスサーバ３００のネットワークサービスにアクセスし（Ｓ１３３）、ネットワークサービス内の書込み又はコメントから番組に関する用語を抽出し（Ｓ１３４）、抽出した用語の中から頻出用語を抽出する（Ｓ１３５）。
【０１３２】
すなわち、ＣＰＵ１０は、特定したネットワークサービス内の番組に関する評価から頻出用語を抽出する。すなわち、ＣＰＵ１０は、視聴者の書込み又はコメントなどの文書内を検索して同一の又は同意の用語の出現回数を計数し、出現回数が所定の閾値回数以上の用語を頻出用語として抽出する。
【０１３３】
ＣＰＵ１０は、録画装置１００内の各種ＤＢに、抽出した頻出用語と一致する（全部一致又は部分一致）用語があるか否かを判定し（Ｓ１３６）、一致する用語がない場合（Ｓ１３６でＮＯ）、更新データを取得し（Ｓ１３７）、各種ＤＢを更新し（Ｓ１３８）、処理を終了する。一致する用語がある場合（Ｓ１３６でＹＥＳ）、ＣＰＵ１０は、ステップＳ１３７、Ｓ１３８の処理を行うことなく処理を終了する。
【０１３４】
ネットワークサービス内の番組に関する評価から頻出用語を抽出して、各種ＤＢを更新するので、視聴者の関心が高く、また視聴者の感想や意見を表現することができる関連用語を予め設定しておくことができる。
【０１３５】
次に、実施の形態２におけるチャプタ（チャプタの区切り）の設定について説明する。図２０は実施の形態２のチャプタの設定例を示す説明図である。図２０は録画装置１００（ＣＰＵ１０）で設定したチャプタの表示例を示すものである。図２０では、番組は野球であるとする。
【０１３６】
図２０Ａはチャプタ名、時刻（時間）、サムネイル及びチャプタ名を引用した情報元（図２０Ａの例ではフェースブックのマーク）を表示した例である。図２０Ａの例では、例えば、時刻７：０８が、番組（野球）についてのフェースブック内の書込み又はコメントの数（評価数）が比較的多い時間帯に含まれる時刻である。
【０１３７】
また、チャプタ名として、時刻７：０８を含む前述の時間帯において、「あのホームランは凄かった…」という頻出用語を用いている。
【０１３８】
すなわち、ＣＰＵ１０は、取得した番組情報に基づいて、録画する番組に関する評価を公開するネットワークサービスを特定する。ネットワークサービスとは、例えば、ソーシャルネットワーキングサービスであり、例えば、放送局のホームページ、番組のホームページ又は番組配信サービスのホームページ内のツイッター（登録商標）、フェースブック（登録商標）、掲示板などである。番組に関する評価は、例えば、番組に関する視聴者の書込み又はコメントなどであり、例えば、番組に対する感想又は意見などを含む。
【０１３９】
そして、ＣＰＵ１０は、特定したネットワークサービス内の番組に関する評価数が所定の閾値以上となる番組中の時間帯を特定する。図２０Ａの例では、時刻７：０８を含む時間帯である。評価の計数は、例えば、視聴者の書込み又はコメントが１つのまとまりとして書込まれた場合、当該書込み又はコメントを１つの評価として計数する。また、時間帯は、任意の時間間隔とすることができる。例えば、番組中において、評価数が比較的多い時間帯を特定することができる。
【０１４０】
ＣＰＵ１０は、特定した時間帯を用いてチャプタを設定する。例えば、ある時間帯で評価数が比較的多い場合、当該時間帯の任意の時点の場面でチャプタの区切り（チャプタ）を設定することができる。図２０Ａの例では、時刻７：０８の場面でチャプタの区切り（チャプタ）を設定している。これにより、視聴者の関心が高い場面でチャプタを設定することができる。
【０１４１】
また、ＣＰＵ１０は、特定した時間帯での評価から頻出用語を抽出する。すなわち、ＣＰＵ１０は、特定した時間帯における視聴者の書込み又はコメントなどの文書内を検索して同一の又は同意の用語の出現回数を計数し、出現回数が所定の閾値回数以上の用語を頻出用語として特定する。
【０１４２】
ＣＰＵ１０は、抽出した頻出用語をチャプタ名としてチャプタに設定する。図２０Ａの例では、「あのホームランは凄かった…」という頻出用語をチャプタ名にしている。これにより、ユーザは、番組の中で視聴者の関心が高い場面を把握することができる。
【０１４３】
また、ＣＰＵ１０は、特定したネットワークサービスに関するサービス情報をチャプタに設定する。サービス情報とは、例えば、放送局のホームページ、番組のホームページ又は番組配信サービスのホームページ内のツイッター（登録商標）、フェースブック（登録商標）、掲示板などのホームページアドレス（ＵＲＬ）、広告又は宣伝などである。図２０Ａの例では、フェースブックのマークをチャプタに設定(表示)している。これにより、ユーザは、設定されたチャプタに関連する広告又は宣伝などを容易に取得することができ、サービス連携を実現することができる。
【０１４４】
図２０Ｂは、チャプタ名を引用した情報元として「プロ野球中継ＯＯＯ公式ｆａｃｅｂｏｏｋ」を表示した例であり、図２０Ｃは、チャプタ名を引用した情報元としてホームページアドレス（ＵＲＬ）「ＨＰ：http://abcde.co.jp」を表示した例であり、図２０Ｄは、広告（又は宣伝）「番組情報は、ＯＯＯで３５６日分の情報が…」を表示した例である。なお、図２０Ｂ〜図２０Ｄの情報元のうち複数を同時に表示することもできる。
【０１４５】
図２１は実施の形態２の１番組のチャプタの表示の第１例を示す説明図である。図２１の例は、約１時間５０分の野球の番組を放送時間軸に沿って模式的に表示したものであり、番組の開始から、８分、２０分、３５分、５０分、１時間１５分、１時間３２分、１時間４５分だけ経過した時点でチャプタ（チャプタの区切り）が設定されている。１時間１５分経過したときのチャプタには、フェースブック内の野球の評価に基づいて特定した経過時間（１時間１５分経過時点を含む時間帯）及び「トリプルプレー」という頻出用語がチャプタ名として設定され、情報元であるフェースブックのマークが共に表示されている。また、１時間３２分経過したときのチャプタには、フェースブック内の野球の評価に基づいて特定した経過時間（１時間３２分経過時点を含む時間帯）及び「逆転ホームラン」という頻出用語がチャプタ名として設定され、情報元であるフェースブックのマークが共に表示されている。
【０１４６】
図２２は実施の形態２の１番組のチャプタの表示の第２例を示す説明図である。図２２の例では、番組の開始から、８分、２０分、３５分、５０分、１時間１５分、１時間３２分、１時間４５分だけ経過した時点でチャプタが設定されている。１時間１５分経過したときのチャプタには、番組データ配信サービス内の野球の評価に基づいて特定した経過時間（１時間１５分経過時点を含む時間帯）及び「トリプルプレー」という頻出用語がチャプタ名として設定され、情報元である番組データ配信サービスのマークが共に表示されている。また、１時間３２分経過したときのチャプタには、フェースブック内の野球の評価に基づいて特定した経過時間（１時間３２分経過時点を含む時間帯）及び「逆転ホームラン」という頻出用語がチャプタ名として設定され、情報元であるフェースブックのマークが共に表示されている。
【０１４７】
図２３は実施の形態２の録画装置１００によるチャプタ設定の処理手順を示すフローチャートである。ＣＰＵ１０は、録画番組の番組情報を取得し（Ｓ１４１）、番組の録画を開始する（Ｓ１４２）。ＣＰＵ１０は、取得した番組情報に基づいて、ネットワークサービスの情報を特定する（Ｓ１４３）。なお、ネットワークサービスの情報とは、ネットワークサービスにアクセスするための情報である。
【０１４８】
ＣＰＵ１０は、ネットワークサービスにアクセスし（Ｓ１４４）、録画を開始した番組の対してのネットワークサービス内の書込み又はコメントの数が多い番組（録画を開始した番組）中の時間帯を特定する（Ｓ１４５）。
【０１４９】
ＣＰＵ１０は、書込み又はコメントの中から頻出用語を抽出し（Ｓ１４６）、特定した時間帯に表示される場面（シーン）でチャプタを設定する（Ｓ１４７）。例えば、図２２において、１時間１５分経過時点、あるいは１時間３２分経過時点などの如くである。ＣＰＵ１０は、設定したチャプタに頻出用語を付加する（Ｓ１４８）。頻出用語を付加することと頻出用語を設定することは同意である。例えば、図２２において、１時間１５分経過時点の「トリプルプレー」という頻出用語が設定され、１時間３２分経過時点の「逆転ホームラン」という頻出用語が設定されている。
【０１５０】
ＣＰＵ１０は、録画を終了し（Ｓ１４９）、処理を終了する。
【０１５１】
上述のように、実施の形態２においては、新規用語の追加、キャラクタ又は役名などの補充を行うことにより、関連用語などを常に時代や風潮に即したものにアップデートすることができる。また、視聴者の関心が高い用語又は言葉を使ったチャプタの設定を行うことができる。また、ある番組の中で視聴者の関心が高い場面（シーン）をチャプタに設定することもできる。
【符号の説明】
【０１５２】
１０  ＣＰＵ
１１  ＲＡＭ
１２  不揮発性メモリ
１３  通信部
１４  リモコン受光部
１５  チューナ／復調／分離部
１７  映像信号処理部
１８  ＥＰＧ／ＯＳＤ／ＢＭＬ処理部
１９  音声信号処理部
２０  ＨＤＤ
２１  ＢＤ／ＤＶＤドライブ
２２  メモリカードスロット
２３  ストリーム制御回路
２４  映像出力変換部
２５  音声出力変換部
２００  データベースサーバ
３００  ネットワークサービスサーバ
【図１】
2014030180.tif 000003
【図２】
2014030180.tif 000004
【図３】
2014030180.tif 000005
【図４】
2014030180.tif 000006
【図５】
2014030180.tif 000007
【図６】
2014030180.tif 000008
【図７】
2014030180.tif 000009
【図８】
2014030180.tif 000010
【図９】
2014030180.tif 000011
【図１０】
2014030180.tif 000012
【図１１】
2014030180.tif 000013
【図１２】
2014030180.tif 000014
【図１３】
2014030180.tif 000015
【図１４】
2014030180.tif 000016
【図１５】
2014030180.tif 000017
【図１６】
2014030180.tif 000018
【図１７】
2014030180.tif 000019
【図１８】
2014030180.tif 000020
【図１９】
2014030180.tif 000021
【図２０】
2014030180.tif 000022
【図２１】
2014030180.tif 000023
【図２２】
2014030180.tif 000024
【図２３】
2014030180.tif 000025